(57)【特許請求の範囲】
【請求項１】
必要量の粒状弾性材を接着硬化材で固化して成る所定形状の透水性固化体の表面に多孔質粒状材を敷設して圧着することにより形成され、前記多孔質粒状材間の隙間に設けた根部活着材に植物を根付かせることにより該多孔質粒状材と前記透水性固化体に前記植物の根部を成育させるようにしたことを特徴とする植生基盤。
【請求項２】
前記粒状弾性材は球状の発泡スチロール等の弾性を有する疎水性粒状体であることを特徴とする請求項１記載の植生基盤。
【請求項３】
前記多孔質粒状材は多孔質の石材または粒状形成した多孔質物質であることを特徴とする請求項１記載の植生基盤。
【請求項４】
前記透水性固化体の内部に補強材を設けたことを特徴とする請求項１記載の植生基盤。
【請求項５】
板状に形成した前記透水性固化体の表面に多孔質粒状材を敷設して圧着した板状の植生基盤の所定箇所にボルト通入孔を形成し、該ボルト通入孔に挿通したボルトで壁部に固定するようにしたことを特徴とする請求項１記載の植生基盤。
【請求項６】
板状に形成した前記透水性固化体の表面に多孔質粒状材を敷設して圧着した板状の植生基盤の上端に配管受が設けられると共に、前記板状の植生基盤の内部に前記配管受に設けられた配水孔に連通する浸水材が設けられ、前記配管受に支承された配水管から供給される水を前記浸水材を介して前記多孔質粒状材と前記透水性固化体に浸透させるようにしたことを特徴とする請求項１記載の植生基盤。
【発明の詳細な説明】
【０００１】
【発明の属する技術分野】
本発明は、多肉性乾燥植物等の植物を人工的に根付かせて成育するようにした植生基盤に関するものである。
【０００２】
【従来の技術】
自然状態において、土壌は平面状態にあるか、隆起するか、緩やかな傾斜状態にあり、通常はこのような土壌に草木が成育するものであるが、庭園あるいは自然環境を人工的に造成する場合、コンクリート製等の垂直壁面あるいは急激な勾配面に植物を成育させることが行われている。
【０００３】
このような環境下に多肉性乾燥植物等の植物を根付かせるために、従来は上記のような垂直壁面あるいは急激な勾配面に植物繊維を固定して、これに根付けをするようにした例があるが、このような植物繊維は腐食するため、根付けした植物が上記のような垂直壁面あるいは急勾配面からはがれてしまうという不都合があった。
【０００４】
【発明が解決しようとする課題】
本発明は上記の問題点を解消するために成されたもので、腐食しない材料から成る人工の植生基盤を構成し、その表面に多肉性乾燥植物等の植物を人工的に根付かせてコンクリート等の垂直壁面あるいは急勾配面等に固定することができるようにした植生基盤を提供することを目的とする。
【０００５】
【課題を解決するための手段】
上記の課題を解決するために、本発明の請求項１の植生基盤は、必要量の粒状弾性材を接着硬化材で固化して成る所定形状の透水性固化体の表面に多孔質粒状材を敷設して圧着することにより形成され、前記多孔質粒状材間の隙間に設けた根部活着材に植物を根付かせることにより該多孔質粒状材と前記透水性固化体に前記植物の根部を成育させるようにしたことを特徴とする。
【０００６】
また、本発明の請求項２の植生基盤は、請求項１の発明において、前記粒状弾性材は球状の発泡スチロール等の弾性を有する疎水性粒状体であることを特徴とする。
【０００７】
また、本発明の請求項３の植生基盤は、請求項１の発明において、前記多孔質粒状材は多孔質の石材または粒状形成した多孔質物質であることを特徴とする。
【０００８】
また、本発明の請求項４の植生基盤は、請求項１の発明において、前記透水性固化体の内部に補強材を設けたことを特徴とする。
【０００９】
また、本発明の請求項５の植生基盤は、請求項１の発明において、板状に形成した前記透水性固化体の表面に多孔質粒状材を敷設して圧着した板状の植生基盤の所定箇所にボルト通入孔を形成し、該ボルト通入孔に挿通したボルトで壁部に固定するようにしたことを特徴とする。
【００１０】
また、本発明の請求項６の植生基盤は、請求項１の発明において、板状に形成した前記透水性固化体の表面に多孔質粒状材を敷設して圧着した板状の植生基盤の上端に配管受が設けられると共に、前記板状の植生基盤の内部に前記配管受に設けられた配水孔に連通する浸水材が設けられ、前記配管受に支承された配水管から供給される水を前記浸水材を介して前記多孔質粒状材と前記透水性固化体に浸透させるようにしたことを特徴とする。
【００１１】
【発明の実施の形態】
以下、本発明の実施例について図面を参照しながら説明する。
【００１２】
本発明による植生基盤１は、図１に示すように、必要量の粒状弾性材２を接着硬化材３で固化することにより透水性固化体４を形成すると共に、該透水性固化体４の表面に多孔質粒状材５を敷設して圧着することにより形成され、多孔質粒状材５間の隙間１３に設けた根部活着材６に植物１１を根付かせることにより該多孔質粒状材５と透水性固化体４に植物１１の根部９を成育させるようにしたものである。
【００１３】
このような植生基盤１の実施例について詳細に述べると、透水性固化体４は必要量の粒状弾性材２を接着硬化材３で固化することにより形成する。
【００１４】
粒状弾性材２としては球状の発泡スチロール等の弾性を有する疎水性粒状体を用い、また接着硬化材３としてはセメントにモルタル接着強化剤と水とを混入して攪拌したものを用い、この接着硬化材３を粒状弾性材２に混入して攪拌すると、夫々の粒状弾性材２の周囲に付着した接着硬化材３が互いに接着しあって透水性固化体４が形成される。
【００１５】
なお、上記の透水性固化体４には透水性を有するための隙間８が必要である。このため、透水性固化体４として球状の発泡スチロール等の弾性を有する疎水性粒状体を使用すると、その球形状及び弾力性が隙間形成に有利となり、全体として非常に軽量となる。また、接着硬化材３の粘性を調整することによって個々の粒状弾性材２の隙間８が接着硬化材３で完全に埋まらないようにする。
【００１６】
このような透水性固化体４は多数の粒状弾性材２を集積して接着したものであるため、その全体形状は、必要量の粒状弾性材２をどのような形状に集積して接着するかによって計画することができ、板状その他の所望形状に形成することが可能となる。
【００１７】
さらに、透水性固化体４の表面に多孔質粒状材５、例えば軽石等の多孔質の粒状石材または人工の粒状組成材（粒状形成した多孔質物質）を敷設して圧着すると、透水性固化体４の表面の個々の粒状弾性材２に付着した接着硬化材３に夫々の多孔質粒状材５が密着して透水性固化体４の表面を多孔質粒状材５で覆うことができる。
【００１８】
上記のように形成された植生基盤１は、その表面を占める個々の多孔質粒状材５において多孔質であり、内部の透水性固化体４においても夫々の粒状弾性材２間に隙間８を有するため、全体として透水性を有すると共に、それらの多孔質粒状材５の多孔部７または粒状弾性材２間の隙間８に植物１１の根部９を成育させることが可能となる。
【００１９】
このような植物１１の成育のためには、図４（ａ）  に示すように、まず表面の多孔質粒状材５の隙間１３に土やピートモス等による根部活着材６を埋め込んでこの根部活着材６に植物１１を根付かせると、植物１１の成育に伴って表面の多孔質粒状材５や内部の透水性固化体４に植物１１の根部９が進入して成育することが可能となる。
【００２０】
従って、このように植物１１が多孔質粒状材５や内部の透水性固化体４に根を張った後は、根部活着材６がなくても植物１１の根部９の伸長が可能となり、植生基盤１を横状態、あるいは急勾配状態、さらには縦状態にしたときでも植物１１が植生基盤１から脱落することがない。
【００２１】
また、植生基盤１の構成部材がすべて無機物からなるため、腐食することがなく、水分の供給を良好なものとすれば、植物１１は成育を続けることができる。
【００２２】
なお、本発明の植生基盤１に適する植物１１としては、セダム等の多肉性乾燥植物が挙げられるが、根付けが可能な限り他の植物に適用することも可能である。また、セダムのような多肉性乾燥植物の場合、図４（ｂ）  に示すように、根のない茎と葉部のみを根部活着材６に散在しておくだけで該根部活着材６に根付けを行うことが可能となる。
【００２３】
また、本発明においては、図４（ａ）  に示すように、上記の透水性固化体４の内部に金属またはプラスチックによる網状の補強材１０を設けるのが好ましい。特に、植生基盤１を強度が要求されるような箇所に設置する場合、内部の補強材１０によって、外力あるいは根部９の伸長等によるひび割れや破損等を防止することが可能となる。
【００２４】
また、本発明の植生基盤１をコンクリート壁部等に固定する場合、図２（ａ）  〜（ｃ）  に示すように、板状に形成した透水性固化体４の表面に多孔質粒状材５を敷設して圧着した板状の植生基盤１の所定箇所にボルト通入孔１４を形成し、図３（ｂ）  に示すように、ボルト通入孔１４に挿通したボルト１５で壁部１２に固定する構成とすることができる。
【００２５】
さらに、図２（ａ）  〜（ｃ）  に示すように、本発明の植生基盤１内に水分を確保するために、透水性固化体４の上端に配管受１６を固設すると共に、該配管受１６の所要箇所に配水孔１７を形成し、透水性固化体４の内部に浸水材１８を設けて該浸水材１８の一端を配管受１６の配水孔１７に連通するようにした構成とし、配管受１６に設けた配水管１９から供給される水を浸水材１８を介して透水性固化体４あるいは多孔質粒状材５に浸透させるようにする。
【００２６】
このような構成において、浸水材１８は、水分が浸透する海綿状の材料によって幹部１８ａと該幹部から枝分かれした複数の分岐部１８ｂとから構成され、幹部１８ａから両側に分岐した分岐部１８ｂは下り勾配状に形成し、さらには透水性固化体４の形状に応じて浸水材１８を複数配列することにより、配水管１９から供給された水が幹部１８ａと分岐部１８ｂに浸透し、その周辺の透水性固化体４の隙間８と多孔質粒状材５の多孔部７に浸透して全体に均等に行き渡ることとなる。
【００２７】
次に、上記の板状の植生基盤１の作成方法について述べると、図５（ａ）  に示すように、所望面積及び平面形状の植生基盤１を形成し得る内部面積の有底枠体２０を形成し、この枠体２０の底板２１に金属またはプラスチックによる網状の補強材１０を略全面に敷設する。
【００２８】
また、透水性固化体４を形成する材料として球状の発泡スチロールによる粒状弾性材２と、接着硬化材３としてセメントにモルタル接着強化剤と水を混入して攪拌したものを用い、これらを混入したものを用意しておく。
【００２９】
そして、図５（ｂ）  に示すように、透水性固化体４の形成材料を上記の枠体２０の底板２１上に投入し、補強材１０の周囲に均一に行き渡らせると共に、均等な高さとなるように全体を均す。
【００３０】
次いで、図５（ｃ）  に示すように、均一に敷設した透水性固化体４の形成材料の上に浸水材１８を敷設する。この場合、浸水材１８の端部が透水性固化体４の側面に露出するように配設して水分の浸透の入口を確保しておく。
【００３１】
さらに、図５（ｄ）  に示すように、この浸水材１８の上部に上記の透水性固化体４の形成材料を敷設して浸水材１８を内部に埋め込んだ後、透水性固化体４の表面に多孔質粒状材５として軽石等の多孔質の粒状石材を敷き詰め、図５（ｅ）  に示すように、この表面の多孔質粒状材５全体を押圧部材２２等で底板２１の方向に圧着すると、透水性固化体４の接着硬化材３に夫々の多孔質粒状材５が密着して表面全体を覆うことができる。
【００３２】
そして、内部の接着硬化材３が硬化した後、枠体２０から取り出すことによって所望形状の植生基盤１を得ることができる。
【００３３】
なお、植生基盤１の側面に設ける配管受１６は、該植生基盤１を枠体２０から取り出した後に固定してもよいが、予め枠体２０内の側部に設けておいて透水性固化体４の形成時に接着硬化材３によって固定するようにしてもよい。
【００３４】
【発明の効果】
以上説明したように、本発明の植生基盤は、粒状弾性材と接着硬化材と多孔質粒状材という腐食しないで材料で構成されているため、戸外の長期間の使用においても腐食することがなく、従って固定した状態を永続的に維持することができる。
【００３５】
また、所定形状の植生基盤を軽量に形成することが容易であり、施工箇所に継ぎ足していくことによって広範囲にわたる造営が可能となる。
【００３６】
さらには、多孔質粒状材の隙間に設けた根部活着材に植物を根付かせることにより該多孔質粒状材と透水性固化体に植物の根部を成育させることができ、しかも多孔質粒状材の多孔部と透水性固化体の隙間を水分が浸透して全体への均等な水分供給が可能とあり、植物を根付かせた後の成育管理も容易に行うことができる。
【００３７】
また、板状の植生基盤の所定箇所に形成したボルト通入孔を利用してコンクリート等の垂直壁面あるいは急勾配面等にボルト等で堅固かつ容易に固定することができる。
【００３８】
さらに、板状の植生基盤の上端に設けた配管受に配水管を配設すると、該配水管から供給された水分が植生基盤の内部の浸水材を介して内部全体へと均一に浸透させることが可能となる。
【図面の簡単な説明】
【図１】本発明による植生基盤に植物を根付かせた状態の部分的断面図である。
【図２】（ａ）  は本発明による板状の植生基盤の上面図であり、（ｂ）  は平面図であり、（ｃ）  は側面図である。
【図３】（ａ）  は本発明による板状の植生基盤を連結して配水管を設けた状態の正面図であり、（ｂ）  は側面図であって壁部に固定した状態を示す。
【図４】（ａ）  は本発明による植生基盤の多孔質粒状材の隙間に根部活着材を設けた状態を示す断面図であり、（ｂ）  は根部活着材に植物を配設した状態を示す断面図である。
【図５】（ａ）  乃至（ｅ）  は本発明による板状の植生基盤の作成工程を示す断面図である。
【符号の説明】
１…植生基盤
２…粒状弾性材
３…接着硬化材
４…透水性固化体
５…多孔質粒状材
６…根部活着材
７…多孔部
８…透水性固化体の隙間
９…植物の根部
１０…補強材
１１…植物
１２…壁部
１３…多孔質粒状材間の隙間
１４…ボルト通入孔
１５…ボルト
１６…配管受
１７…配水孔
１８…浸水材
１８ａ…幹部
１８ｂ…分岐部
１９…配水管
２０…枠体
２１…底板
２２…押圧部材
【図１】
0003574897.tif 000002
【図２】
0003574897.tif 000003
【図３】
0003574897.tif 000004
【図４】
0003574897.tif 000005
【図５】
0003574897.tif 000006